(57)【要約】【課題】装置が外部に持ち出されて、データの流出を招くことを防止できる情報処理装置を提供する。【解決手段】セキュリティ用のデータを保存するためのＦｅＲＡＭからなるセキュリティ用メモリ１６が設けられる。ＧＰＳユニット２３からの測位情報を基に、装置が移動されたかどうかが判断され、「移動あり」の場合には、電源回路３０からの電源電圧が電圧Ｖ２に低下され、セキュリティ用メモリ１６のデータの読み出しが行われる。装置の移動があると、電源回路３０からの電源電圧が電圧Ｖ２に低下することにより、セキュリティ用メモリ１６からのデータが正常に読み出せなくなり、破壊読み出しにより、セキュリティ用メモリ１６のデータは消去される。これにより、セキュリティ用メモリ１６に保存されたデータの流出を防ぐことができる。【選択図】図１
2007323486.tif 000002
【特許請求の範囲】
【請求項１】
動作可能電圧範囲が他の素子に比べて狭く、破壊読み出しを行うメモリ素子からなり、セキュリティを保つ必要のあるデータが記憶されるセキュリティ用メモリと、
位置を測位する測位手段と、
前記測位手段の測位情報から、装置の移動があったかどうかを判断する移動判断手段と、
通常時の第１の電源電圧と、前記通常時の第１の電源電圧より低い第２の電源電圧とに電源電圧を設定可能な電源回路と、
を備え、
前記移動判断手段により装置の移動があったと判断された場合には、前記電源電圧を第２の電源電圧に設定し、前記セキュリティ用メモリのデータを読み出すようにしたことを特徴とする情報処理装置。
【請求項２】
前記セキュリティ用メモリは、ＦｅＲＡＭから構成されることを特徴とする請求項１に記載の情報処理装置。
【請求項３】
前記測位手段は、ＧＰＳであることを特徴とする請求項１に記載の情報処理装置。
【請求項４】
前記第２の電源電圧は、ＦｅＲＡＭでは正常の読み出しが行えないが、それ以外の素子の動作は可能な電圧であることを特徴とする請求項２に記載の情報処理装置。
【請求項５】
前記電源回路を、前記セキュリティ用メモリ用と、他の素子用とに分けることを特徴とする請求項１に記載の情報処理装置。
【発明の詳細な説明】
【技術分野】
【０００１】
本発明は、情報処理装置に関し、特に、情報処理装置が外部に持ち出されて、データの流出を招くことを防止する情報処理装置に関する。
【背景技術】
【０００２】
個人情報等の重要なコンピュータデータの外部流出が社会的な問題となっている。特に、近年では、ネットワークによるデータの流出が大きな問題である。そこで、会社内等のネットワークにおいては、ファイヤーウォールを構築して、不正なアクセスを防ぐ対策が施されている。
【０００３】
しかしながら、データの流出は、ネットワークを通じて起こるものばかりではなく、コンピュータが外部に持ち出されることにより起こることがある。
【０００４】
例えば、会社等で業務に使用しているコンピュータを家庭に持ち帰って使用する場合がある。この場合、会社内等のネットワークでは、ファイヤーウォールやウィルス対策により、セキュリティの向上が図れているが、家庭内のネットワークでは、セキュリティ対策が不十分であることが多い。このため、会社等で業務に使用しているコンピュータを家庭内のネットワークに接続すると、重要なデータが外部に流出してしまう危険性がある。
【０００５】
また、会社等で業務に使用しているコンピュータを持ち帰る途中で、電車や飲食店にコンピュータを置き忘れてしまったり、コンピュータが盗用されたりする危険性もある。このように、忘れてしまったコンピュータから、或いは、盗用されたコンピュータから、不正にデータが読み出され、外部に流出してしまうことが考えられる。このようなコンピュータが外部に持ち出されることによるデータの流出は、会社内等のネットワークのセキュリティを向上させても、食い止めることはできない。
【０００６】
そこで、コンピュータの位置を測位し、コンピュータが所定の位置から外れた場合に、重要なデータが流出しないような対応を行うことが考えられる。例えば、ＧＰＳを有する携帯情報端末が、使用行動範囲内に存在しない場合に、正規の所有者でないとして、ファイル削除を行うようにしたものが提案されている（例えば、特許文献１参照。）。
【特許文献１】特開２００３−１８６５２号公報
【発明の開示】
【発明が解決しようとする課題】
【０００７】
しかしながら、特許文献１に示されるものは、使用行動範囲内に存在しない場合に、ファイル削除を行う処理が必要である。また、重要なデータのみを判別し、ファイルを削除する処理を実行するには、特別なプログラムが必要になるといった問題もある。
【０００８】
本発明は、上述の課題に鑑みてなされたものであり、装置が外部に持ち出されて、データの流出を招くことを未然に防止することができる情報処理装置を提供することを目的とする。
【課題を解決するための手段】
【０００９】
上述の課題を解決するために、本発明は、以下の事項を提案している。
（１）本発明は、動作可能電圧範囲が他の素子に比べて狭く、破壊読み出しを行うメモリ素子からなり、セキュリティを保つ必要のあるデータが記憶されるセキュリティ用メモリと、位置を測位する測位手段と、前記測位手段の測位情報から、装置の移動があったかどうかを判断する移動判断手段と、通常時の第１の電源電圧と、前記通常時の第１の電源電圧より低い第２の電源電圧とに電源電圧を設定可能な電源回路と、を備え、前記移動判断手段により装置の移動があったと判断された場合には、前記電源電圧を第２の電源電圧に設定し、前記セキュリティ用メモリのデータを読み出すようにしたことを特徴とする情報処理装置である。
【００１０】
本発明によれば、動作可能電圧範囲が他の素子に比べて狭く、破壊読み出しを行うメモリ素子からなるセキュリティ用メモリに、重要なデータが記録される。そして、測位手段の測位情報から、装置の移動があったことが判断されると、電源電圧が第１の電源電圧から第２の電源電圧に低下される。この状態で、セキュリティ用メモリからデータが読み出されると、セキュリティ用メモリは破壊読み出しを行っているため、セキュリティ用メモリのデータは削除される。このように、装置が移動されると、セキュリティ用メモリの重要なデータが消去されるので、情報処理装置が外部に持ち出されて、データの流出を招くことを防止できる。
【００１１】
（２）また、本発明は、（１）の情報処理装置について、セキュリティ用メモリは、ＦｅＲＡＭから構成されるようにしている。このように、セキュリティ用メモリとして、ＦｅＲＡＭを用いることで、動作可能電圧範囲が他の素子に比べて狭く、破壊読み出しを行うメモリをもつ情報処理装置が実現できる。
【００１２】
（３）また、本発明では、（１）の情報処理装置について、測位手段は、ＧＰＳを用いるようにしている。ＧＰＳを用いることで、情報処理装置の移動を精度良く検出することができる。
【００１３】
（４）また、本発明では、（２）の情報処理装置について、第２の電源電圧は、ＦｅＲＡＭでは正常の読み出しが行えないが、それ以外の素子の動作は可能な電圧としている。これにより、第２の電源電圧に下げたときに、他の素子を正常に動作させ、セキュリティ用メモリのデータ読み出しが行えない状態とすることができる。
【００１４】
（５）また、本発明では、（１）の情報処理装置について、電源回路を、セキュリティ用メモリ用と、他の素子用とに分けているので、第２の電源電圧に下げたときに、他の素子に対して影響を与えることがない。
【発明を実施するための最良の形態】
【００１５】
以下、本発明の実施の形態について図面を参照しながら詳細に説明する。
＜第１の実施形態＞
図１は、本発明の第１の実施の形態に係る情報処理装置１を示す。図１において、バス１１には、ＣＰＵ(Ｃｅｎｔｒａｌ  Ｐｒｏｃｅｓｓｉｎｇ  Ｕｎｉｔ)１２、ＲＯＭ(Ｒｅａｄ  Ｏｎｌｙ  Ｍｅｍｏｒｙ)１３、ＲＡＭ(Ｒａｎｄｏｍ  Ａｃｃｅｓｓ  Ｍｅｍｏｒｙ)１４が接続される。ＲＯＭ１３には、ＢＩＯＳ（Ｂａｓｉｃ  Ｉｎｐｕｔ  Ｏｕｔｐｕｔ  Ｓｙｓｔｅｍ）等のブートプログラムが記憶されている。ＲＡＭ１４は、メインメモリとして用いられる。
【００１６】
また、バス１１には、ＨＤＤ(Ｈａｒｄ  Ｄｉｓｋ  Ｄｒｉｖｅ)１５が接続される。ＨＤＤ１５には、オペレーティングシステムやアプリケーションのプログラムが記録される他、各種のファイルが記録される。更に、本発明の第１の実施の形態においては、バス１１に、セキュリティ用メモリ１６が接続される。
【００１７】
セキュリティ用メモリ１６は、個人情報等のセキュリティを保つ必要がある重要なデータを記録するためのものである。セキュリティ用メモリ１６としては、動作可能電圧範囲が他の素子に比べて狭く、破壊読み出しを行うメモリ素子からなるものが用いられる。より具体的には、セキュリティ用メモリ１６としては、ＦｅＲＡＭ（Ｆｅｒｒｏｅｌｅｃｔｒｉｃ  Ｒａｎｄｏｍ  Ａｃｃｅｓｓ  Ｍｅｍｏｒｙ）が用いられる。
【００１８】
ＦｅＲＡＭは、強誘電体膜をデータ保持用キャパシタに利用したメモリで、不揮発性であると共に、データの書き換えを高速に行えるという特徴がある。また、データの読み出しが破壊読み出しで行われるため、再書き込みが必要である。また、強誘電体膜の分極状態のヒステリシス特性を利用しているため、所定の電圧範囲を外れると、データの読み出し、書き込みができなくなるという特徴がある。また、強誘電体膜の分極状態のヒステリシス特性は、高温になると、ヒステリシスが小さくなる傾向にある。このため、高温状態にさらされると、データが保持できなくなる。なお、ＦｅＲＡＭについては、後に詳述する。
【００１９】
また、バス１１には、グラフィックス処理部１７を介して、液晶ディスプレイ等の表示デバイス１８が接続される。更に、バス１１には、汎用インターフェース２０が接続される。汎用インターフェース２０は、例えば、ＵＳＢ(Ｕｎｉｖｅｒｓａｌ  Ｓｅｒｉａｌ  Ｂｕｓ)であり、ここにキーボード２１やマウス２２等の入力装置が接続される。
【００２０】
更に、本発明の実施の形態に係る情報処理装置１においては、バス１１に、ＧＰＳ(Ｇｌｏｂａｌ  Ｐｏｓｉｔｉｏｎｉｎｇ  Ｓｙｓｔｅｍ)ユニット２３が接続される。ＧＰＳユニット２３は、地球を周回する複数の衛星を用いて、情報処理装置１の現在位置を測位するものである。
【００２１】
ＧＰＳユニット２３からの測位情報は、移動判断回路２４に供給される。移動判断回路２４は、ＧＰＳユニット２３からの測位情報を基に、情報処理装置１の位置が移動されたかどうかを判断するものである。移動判断回路２４は、初期位置でのＧＰＳユニット２３からの測位情報を保存しておき、この保存された初期位置での測位情報と、現在の測位情報とを比較し、装置の移動があったか否かの判断信号を出力する。そして、移動判断回路２４は、初期位置での測位情報と現在の測位情報との差が所定の範囲なら、「移動無し」の判断信号を出力し、初期位置での測位情報と現在の測位情報との差が所定の範囲を越えたら、「移動あり」の判断信号を出力する。
【００２２】
移動判断回路２４は、例えば、１チップのマイクロコンピュータで実現できる。また、移動判断回路２４は、初期位置を記憶するメモリと、ＧＰＳユニット２３からの測位情報を取り込むレジスタと、初期位置と現在の測位情報とを比較するコンパレータとから構成することも可能である。
【００２３】
更に、ＧＰＳユニット２３に移動判断回路２４の機能を持たせ、ＧＰＳユニット２３から、直接、位置が移動されたかどうかを判断するための判断信号を出力させるようにしても良い。
【００２４】
移動判断回路２４からの判断信号は、電源回路３０に供給される。そして、電源回路３０の電源電圧が移動判断回路２４からの判断信号により切り替えられる。
【００２５】
すなわち、電源回路３０は、本発明の実施の形態の情報処理装置１の各部（ＣＰＵ１２、ＲＯＭ１３、ＲＡＭ１４、ＨＤＤ１５、セキュリティ用メモリ１６、グラフィックス処理部１７、表示デバイス１８、汎用インターフェース２０、キーボード２１、マウス２２、ＧＰＳユニット２３、移動判断回路２４等）に電源を供給している。
【００２６】
移動判断回路２４からの判断信号が、「移動無し」を示す場合には、電源回路３０からの電源電圧は、通常時の電圧Ｖ１（例えばＶ１＝３．３Ｖ）に設定される。移動判断回路２４からの判断信号が、「移動あり」を示す場合には、電源回路３０からの電源電圧は、電圧Ｖ１より僅かに低い電圧Ｖ２（例えば、Ｖ２＝２．７Ｖ以下）に切り替えられる。この電圧Ｖ２は、セキュリティ用メモリ１６では正常に読み書きできないが、他の素子（ＣＰＵ１２、ＲＯＭ１３、ＲＡＭ１４、ＨＤＤ１５、グラフィックス処理部１７、表示デバイス１８、汎用インターフェース２０、キーボード２１、マウス２２、ＧＰＳユニット２３、移動判断回路２４等）では正常に動作できる電圧である。
【００２７】
本発明の第１の実施形態に係る情報処理装置１では、電源が投入されると、電源回路３０からの電源が各部に供給されて、ＣＰＵ１２が動作を開始する。電源投入時には、ＲＯＭ１３に記憶されているブートプログラムによりＣＰＵ１２が起動された後、ＨＤＤ１５に記憶されているオペレーティングシステムのプログラムが実行される。このオペレーティングシステムのプログラムを基に、各種のアプリケーションプログラムが実行される。
【００２８】
本発明の実施の形態に係る情報処理装置１においては、図１に示したように、ＦｅＲＡＭからなるセキュリティ用メモリ１６が設けられ、セキュリティが必要な重要なデータは、セキュリティ用メモリ１６に保存される。そして、セキュリティ用メモリ１６に保存されているデータは、所定時間毎に読み出される。
【００２９】
情報処理装置１が正規の位置から移動されていなければ、セキュリティ用メモリ１６に保存されているデータを読み出すとき、移動判断回路２４からの判断信号は「移動無し」となり、電源回路３０からの電源電圧は、通常時の電圧Ｖ１になっている。このため、セキュリティ用メモリ１６からのデータは正常に読み出され、また、正常に再書き込みされる。
【００３０】
これに対して、情報処理装置１が正規の位置から移動されていると、セキュリティ用メモリ１６に保存されているデータを読み出すとき、移動判断回路２４からの判断信号が「移動あり」となり、電源回路３０からの電源電圧は、通常時の電源電圧Ｖ１より僅かに低い電圧Ｖ２に低下する。
【００３１】
ＦｅＲＡＭからなるセキュリティ用メモリ１６は、正常に動作できる電源電圧の範囲が狭く、電源電圧がＶ２に低下すると、セキュリティ用メモリ１６からは、正常にデータを読み出せなくなる。ＦｅＲＡＭは破壊読み出しのため、セキュリティ用メモリ１６から正常にデータが読み出せなくなると、再書き込みが正常に行われなくなる。このため、電源電圧をＶ２に低下させて、セキュリティ用メモリ１６のデータの読み出しを行うと、セキュリティ用メモリ１６のデータは消去されることになる。
【００３２】
なお、電源電圧Ｖ２は、前述したように、ＦｅＲＡＭでは正常に読み書きできないが、他の素子では正常に動作できる電圧であるため、電源電圧をＶ２に低下させても、他の部分の動作への影響はない。
【００３３】
以上、説明したように、本発明の第１の実施形態では、セキュリティ用のデータを保存するためのＦｅＲＡＭからなるセキュリティ用メモリ１６が設けられる。そして、ＧＰＳユニット２３からの測位情報を基に、装置が移動されたかどうかが判断され、「移動あり」の場合には、電源回路３０からの電源電圧が電圧Ｖ２に低下する。そして、所定時間毎に、セキュリティ用メモリ１６のデータの読み出しが行われる。装置の移動があると、電源回路３０からの電源電圧が電圧Ｖ２に低下することにより、セキュリティ用メモリ１６からのデータが正常に読み出せなくなり、破壊読み出しにより、セキュリティ用メモリ１６のデータは消去される。これにより、セキュリティ用メモリ１６に保存された重要なデータのみを自動的に消去することができ、セキュリティ用メモリ１６に保存されたデータの流出を防ぐことができる。
【００３４】
このように、本発明の第１の実施形態では、ＦｅＲＡＭが破壊読み出しであることを利用して、データを読み出すだけで、データを消去することができる。このため、データの削除は不要である。また、オペレーティングシステム上のデータの削除ではなく、データの完全な消去であるため、データを復活することはできず、高いセキュリティを確保できる。
【００３５】
また、本発明の第１の実施形態では、装置の移動があったら電源電圧を低下させる処理を、ＧＰＳユニット２３、移動判断回路２４、電源回路３０により、ＣＰＵ１２でのソフトウェア処理とは別に行っている。このため、装置の制約やオペレーティングシステムの制約を受けず、どのような情報処理装置にも導入可能である。
【００３６】
＜ＦｅＲＡＭの概要＞
次に、セキュリティ用メモリ１６として用いることができるＦｅＲＡＭの概要について説明する。
【００３７】
ＦｅＲＡＭは、強誘電体膜をデータ保持用キャパシタとして利用したものである。強誘電体材料は、ペロブスカイト構造と呼ばれる結晶構造をとり、強誘電体は、膜の両端に一定レベルの電圧を印加することにより、結晶格子の原子が電界の向きに移動し、分極状態となる。この分極状態は、強誘電体膜の両端の電圧を取り去った後も維持される。
【００３８】
強誘電体膜における印加電圧と分極量との関係は、図２に示すようなヒステリシス特性を持つ。すなわち、図２は、強誘電体膜の印加電圧（Ｖ）と分極量（Ｐ）との関係を示す。図２において、電圧を負側から正側に上げていったときには、曲線Ａ１に示す特性に沿って分極量が変化し、電圧を正側から負側に順次下げていったときには、曲線Ａ２に示す特性に沿って分極量が変化していき、電圧を上昇させていったときの分極特性の変化と、電圧を下降させていったときの分極特性の変化が異なっている。強誘電体のヒステリシス曲線は、電界Ｖを除去しても残留分極の存在により消滅しない。ＦｅＲＡＭでは、このようなヒステリシス特性を利用して、データが記憶される。
【００３９】
図３は、ＦｅＲＡＭのメモリセルを示すものである。図３に示すように、ＦｅＲＡＭのメモリセルＭ１は、トランスファーゲートのＭＯＳトランジスタＱ１と、強誘電体キャパシタＣ１とからなる。強誘電体キャパシタＣ１は、キャパシタの電極間に強誘電体膜を挿入したものである。ＭＯＳトランジスタＱ１のゲートは、ワード線ＷＬに接続される。ＭＯＳトランジスタＱ１のドレインがビット線ＢＬに接続され、ＭＯＳトランジスタＱ１のソースとプレート線ＰＬとの間に、強誘電体キャパシタＣ１が接続される。
【００４０】
メモリセルＭ１にデータを書き込むときには、ワード線ＷＬにＨレベルを供給し、ＭＯＳトランジスタＱ１をオンさせ、強誘電体キャパシタＣ１の一方の電極をビット線ＢＬに電気的に接続させる。そして、記録するデータに応じて、強誘電体キャパシタＣ１に電圧を印可する。強誘電体キャパシタＣ１に正方向の電圧を印加すれば、強誘電体キャパシタＣ１は特性Ａ１に沿って分極し、強誘電体キャパシタＣ１に負方向の電圧を印加すれば、強誘電体キャパシタＣ１は特性Ａ２に沿って分極し、強誘電体キャパシタＣ１は、いずれかの状態となるように分極する。これら２つの分極状態をそれぞれ「１」データ及び「０」データに対応させることによって、２値の論理データを書き込むことができる。
【００４１】
メモリセルＭ１からデータを読み出す場合には、ワード線ＷＬにＨレベルを供給し、ＭＯＳトランジスタＱ１をオンさせ、強誘電体キャパシタＣ１の一方の電極をビット線ＢＬに電気的に接続させる。そして、プレート線ＰＬの電圧を持ち上げていく。これにより、強誘電体キャパシタＣ１に書き込まれているデータに応じた電荷がビット線ＢＬに出力される。そして、ビット線ＢＬの電圧とリファレンス電位とをセンスアンプＡＭ１で比較し、「１」データ及び「０」データに対応させることによって、２値の論理データを読み出すことができる。
【００４２】
このとき、強誘電体キャパシタＣ１に論理「１」に対応するデータが保存されている場合には、そのデータは破壊され、論理「０」に対応するデータが保存されている場合には、そのデータは破壊されない。したがって、読み出しを完了すると、データは全て「０」になる。このように、ＦｅＲＡＭでは、データ読み出し後は、メモリセルＭ１の値は「０」にクリアされる。このような破壊読み出しとなるため、データを読み出した後には、センスアンプＡＭ１から読み出されたデータにより、再書き込みが行われる。
【００４３】
このようなＦｅＲＡＭの主な特徴は、以下の通りである。
（１）不揮発性
先ず、ＦｅＲＡＭは、強誘電体膜の分極状態を利用したものであり、この分極状態は、強誘電体膜の両端の電圧を取り去った後も維持される。このため、電源をオフした後にも、データが保持され、不揮発性メモリとして利用できる。
【００４４】
（２）書換速度が速い。
また、フラッシュメモリ等では、データを一旦消去してから、再書き込みするため、書き換え時間が長くなる。これに対して、ＦｅＲＡＭでは、データの消去、再書き込みが不要である。このため、書き換え速度が速い。
【００４５】
（３）破壊読み出し
上述のように、ＦｅＲＡＭでは、データ読み出しを行うときに、破壊読み出しとなる。このため、データを読み出した後に、再書き込みする必要がある。
【００４６】
（４）動作電圧範囲が狭い。
上述のように、ＦｅＲＡＭでは、強誘電体膜の分極状態のヒステリシス特性を利用している。このため、所定の電圧範囲を外れると、データの読み出し、書き込みができなくなる。例えば、基準の電源電圧を３．３Ｖとすると、正常にデータの読み出し、書き込みができる電圧の範囲は、３Ｖから３．５Ｖ程度である。
【００４７】
（５）ディテンション特性が温度の影響を受ける。
強誘電体膜の分極状態のヒステリシス特性は、高温になると、ヒステリシスが小さくなる傾向にある。このため、高温にさらされると、データが保持できなくなる。
【００４８】
＜第２の実施形態＞
図４は、本発明の第２の実施形態を示すものである。前述の第１の実施形態では、各部に電源を供給する電源回路３０からの電源電圧を、情報処理装置１が正規の位置から移動された場合、電圧Ｖ２に低下させる。そして、電圧Ｖ２を、ＦｅＲＡＭからなるセキュリティ用メモリ１６では正常に動作できないが、他の素子では正常に動作できる電圧にしている。
【００４９】
これに対して、この実施形態では、ＦｅＲＡＭからなるセキュリティ用メモリ１６に対する電源を供給する電源回路３０ａと、他の素子に電源を供給する電源回路３０ｂとを分けている。そして、情報処理装置１が正規の位置から移動された場合、電源回路３０ａのみに対して、電源電圧を低下させる。
【００５０】
このように、この実施形態では、ＦｅＲＡＭからなるセキュリティ用メモリ１６に対する電源を供給する電源回路３０ａと、他の素子に電源を供給する電源回路３０ｂとを分けているので、他の素子に対しては全く影響を与えることがなくなる。他の構成については、前述の第１の実施形態と同様であり、その説明は省略する。
【００５１】
＜第３の実施形態＞
前述の第１の実施形態では、装置の移動があった場合、電源電圧を低下させる処理を、ＧＰＳユニット２３、移動判断回路２４、電源回路３０により、ソフトウェア処理とは別に行っている。これに対して、この実施形態では、これらの処理をソフトウェアで行う。
【００５２】
図５は、本発明の第３の実施形態の処理を示すフローチャートである。図５において、初期状態では、電源電圧がＶ１に設定される（ステップＳ１）。所定時間経過したかどうかが判断され（ステップＳ２）、所定時間経過したら（ステップＳ２の「ＹＥＳ」）、ＧＰＳユニット２３からの測位情報が読み出される（ステップＳ３）。
【００５３】
次に、読み出された測位情報と、初期位置での測位情報とが比較され、装置が所定距離以上移動されたかどうかが判断される（ステップＳ４）。装置が所定距離以上移動されていなければ（ステップＳ４の「ＮＯ」）、ステップＳ１にリターンされる。一方で、装置が所定距離以上移動されたと判断された場合（ステップＳ４の「ＹＥＳ」）、警告音の出力及び警告表示が行われる（ステップＳ５）。
【００５４】
そして、電源電圧がＶ２に下げられ（ステップＳ６）、セキュリティ用メモリ１６のデータが読み出される（ステップＳ７）。これにより、セキュリティ用メモリ１６に保存されたデータが消去される。そして、ステップＳ１にリターンされる。
【００５５】
なお、本発明は、上述した実施形態に限定されるものではなく、この発明の要旨を逸脱しない範囲内で様々な変形や応用が可能である。
【図面の簡単な説明】
【００５６】
【図１】本発明の第１の実施形態のブロック図である。
【図２】ＦｅＲＡＭの説明に用いるグラフである。
【図３】ＦｅＲＡＭのメモリセルの基本構造の説明図である。
【図４】本発明の第２の実施形態のブロック図である。
【図５】本発明の第３の実施形態のフローチャートである。
【符号の説明】
【００５７】
１１・・・バス、１２・・・ＣＰＵ、１３・・・ＲＯＭ、１４・・・ＲＡＭ、１５・・・ＨＤＤ、１６・・・セキュリティ用メモリ、１７・・・グラフィックス処理部、１８・・・表示デバイス、２０・・・汎用インターフェース、２１・・・キーボード、２２・・・マウス、２３・・・ＧＰＳユニット、２４・・・移動判断回路、３０・・・電源回路
【図１】
2007323486.tif 000003
【図２】
2007323486.tif 000004
【図３】
2007323486.tif 000005
【図４】
2007323486.tif 000006
【図５】
2007323486.tif 000007